(57)【要約】【課題】遮熱通気シートの構造を簡便にし、遮熱透湿防水シート同士の複合を簡便かつ確実に行うことができるようになし、かつ結露のおそれがなく、もし結露などで流水が発生しても結合部において漏水が生じないようにする。【解決手段】一方の遮熱通気シートが隣接して配置された他方の遮熱通気シートに重ね代部で重ね合わされる構造が形成されるものであって、他方の遮熱通気シートが狭幅折り曲げ部が切断された狭幅折り曲げ部切断構造とされ、重ね合わされたときに、一方の遮熱通気シートの狭幅折り曲げ部と他方の遮熱通気シートの狭幅逆折り曲げ部とが接触して、該狭幅折り曲げ部長手方向の長さの重ね代部で一方の遮熱通気シートが他方の遮熱通気シートに重ね合わされ、および通気孔を備えた構造が形成される。【選択図】図４
2011069070.tif 000002
【特許請求の範囲】
【請求項１】
上板紙と下板紙との間に波板紙を狭持した段ボール紙と、該段ボール紙の一方の面に粘着された長方形に形成された、アルミニウムを含有した樹脂材で形成された遮熱透湿防水シートと、から構成された遮熱通気シートが複数個組合わされて形成される遮熱通気スペーサーにおいて、
前記遮熱通気シートは、屋根裏の傾斜方向であってその長辺方向にある両端部が前記遮熱透湿防水シート側に折り曲げられて折り曲げ部が形成され、各折り曲げ部に、折り曲げ方向に狭幅を置いて２つの切り込みが入れられて、長辺方向端面から重ね代部の距離を置いて折り曲げ方向に対して反対方向に折り曲げられた狭幅逆折り曲げ部が両端面部に形成されて折り曲げ部に通気孔が形成され、該狭幅逆折り曲げ部の形成に伴って隣接して端面からの狭幅折り曲げ部が残留され、
一方の遮熱通気シートが隣接して配置された他方の遮熱通気シートに重ね代部で重ね合わされる構造が形成されるものであって、他方の遮熱通気シートが、狭幅折り曲げ部が切断された狭幅折り曲げ部切断構造とされ、重ね合わされたときに、一方の遮熱通気シートの狭幅折り曲げ部と他方の遮熱通気シートの狭幅逆折り曲げ部とが接触して、該狭幅折り曲げ部の長手方向の長さの重ね代部で一方の遮熱通気シートが他方の遮熱通気シートに重ね合わされる構造が形成されること
を特徴とする遮熱通気スペーサー。
【請求項２】
請求項１において、前記折り曲げ部には３個以上の逆狭幅折り曲げ部およびこれに対応して通気孔が形成されることを特徴とする遮熱通気スペーサー。
【請求項３】
請求項１または２において、前記遮熱透湿防水シートは、０．５〜１０ミクロンポリエチレン極細長繊維に高熱を加えて結合させた不織布にアルミニウムを蒸着させて形成されたものであることを特徴とする遮熱通気スペーサー。
【請求項４】
請求項１から３のいずれかにおいて、前記狭幅逆折り曲げ部を屋根裏に配設された垂木に固定手段によって固定することを特徴とする遮熱通気スペーサー。
【発明の詳細な説明】
【技術分野】
【０００１】
本発明は、屋根裏の遮熱および通気構造に関し、より具体的には屋根裏に配設される遮熱通気スペーサーに関する。
【背景技術】
【０００２】
木造住宅における屋根裏の熱で天井板が熱せられて温度が上昇するという問題がある。居室の温度上昇を抑えるために、屋根裏の野地合板に発泡ポリエチレンなどの断熱材を配設することが行われている。この構造では断熱効果が不十分であるとして、各種の提案がなされている。
【０００３】
特許文献１には、段ボール紙を通気層確保部材として使用することが記載されている。  特許文献２には、屋根裏温度の上昇を抑制する断熱材として、板状の無機繊維柔断熱材の両面を透湿性の表皮材で被覆した屋根裏用断熱材が記載されている。
【０００４】
特許文献３には、上板紙と下板紙との間に波板紙を狭持してなる段ボール紙の少なくとも一方の面に、アルミニウム箔またはアルミニウム蒸着樹脂フィルムからなる反射層が貼合されている長方形の遮熱シートであり、該シートの少なくとも１隅部に、該隅部を内側に向けて角柱状に折り曲げ可能な、シート長手方向に平行な少なくとも２本の折り曲げ線と、シートの長手方向に直交する１本の切り込み線がそれぞれ設けられていることを特徴とする遮熱シートが記載されている。
【０００５】
特許文献４には、アルミニウム箔またはアルミニウム蒸着樹脂フィルムからなる反射層の遮熱構造が記載されている。
【先行技術文献】
【特許文献】
【０００６】
【特許文献１】特開２００１−２２７０８０号公報
【特許文献２】特開平８−０２７９１９号公報
【特許文献３】特開２００７−２７８０２６号公報
【特許文献４】特開２００７−１３８４０９号公報
【発明の概要】
【発明が解決しようとする課題】
【０００７】
従来の技術にあっては、上述したようにアルミニウム箔またはアルミニウム蒸着樹脂フィルムを用いた遮熱構造として効果を発揮しているが、構造が複雑であり、そのため遮熱透湿防水シート同士の接合はつき合わせ構造とされ、結露などの原因によって流水が発生したような場合に、つき合わせ部によって確実に下方の遮熱透湿防水シートに導けないおそれがあった。
【０００８】
本発明は、かかる点に鑑み、遮熱透湿防水シートの構造を簡単にし、遮熱透湿防水シート同士の接合を簡便かつ確実に行うことができるようになし、かつ結露のおそれがなく、もし結露などで流水が発生しても結合部において漏水が生じないようにすることにある。
【課題を解決するための手段】
【０００９】
本発明は、複雑な複合折りを止め、遮熱透湿防水シートに簡単構造の狭幅の折り曲げ部を形成し、形成した狭幅の折り曲げ部を組み合せることで、双方の遮熱透湿防水シートの端部を重ね合わせることのできる重ね代部を形成したことを特徴とする。
【００１０】
本発明は、具体的には、上板紙と下板紙との間に波板紙を狭持した段ボール紙と、該段ボール紙の一方の面に粘着された長方形に形成された、アルミニウムを含有した樹脂材で形成された遮熱透湿防水シートと、から構成された遮熱通気シートが複数個組合わされて形成される遮熱通気スペーサーにおいて、
前記遮熱通気シートは、屋根裏の傾斜方向であってその長辺方向にある両端部が前記遮熱透湿防水シート側に折り曲げられて折り曲げ部が形成され、各折り曲げ部に、折り曲げ方向に狭幅を置いて２つの切り込みが入れられて、長辺方向端面から重ね代部の距離を置いて折り曲げ方向に対して反対方向に折り曲げられた狭幅逆折り曲げ部が両端面部に形成されて折り曲げ部に通気孔が形成され、該狭幅逆折り曲げ部の形成に伴って隣接して端面からの狭幅折り曲げ部が残留され、
一方の遮熱通気シートが隣接して配置された他方の遮熱通気シートに重ね代部で重ね合わされる構造が形成されるものであって、他方の遮熱通気シートが、狭幅折り曲げ部が切断された狭幅折り曲げ部切断構造とされ、重ね合わされたときに、一方の遮熱通気シートの狭幅折り曲げ部と他方の遮熱通気シートの狭幅逆折り曲げ部とが接触して、該狭幅折り曲げ部の長手方向の長さの重ね代部で一方の遮熱通気シートが他方の遮熱通気シートに重ね合わされる構造が形成されること
を特徴とする遮熱通気スペーサーを提供する。
【００１１】
本発明は、また、前記折り曲げ部には３個以上の逆狭幅折り曲げ部およびこれに対応して通気孔が形成されることを特徴とする遮熱通気スペーサーを提供する。
【００１２】
本発明は、また、前記遮熱透湿防水シートは、０．５〜１０ミクロンポリエチレン極細長繊維に高熱を加えて結合させた不織布にアルミニウムを蒸着させて形成されたものであることを特徴とする遮熱通気スペーサーを提供する。
【００１３】
本発明は、また、前記狭幅逆折り曲げ部を屋根裏に配設された垂木に固定手段によって固定することを特徴とする遮熱通気スペーサーを提供する。
【発明の効果】
【００１４】
以上のように、本発明は、上述した構成の遮熱通気スペーサーとしているので、遮熱防水シートは、簡単な折り曲げ構造とされ、狭幅折り曲げ部および狭幅逆折り曲げ部の採用によって双方の遮熱防水シートがそれらのつき合わせ端部で確実に重ね合わされて、遮熱透湿防水シート同士の接合が簡便かつ確実に行うことができ、かつ通気構成を簡単に形成することができるようになって通気性がよく結露のおそれが少なくなり、もし結露のその他の原因によって流水が発生したような場合にあっても重ね代部の結合部において漏水が生じないようにした遮熱通気スペーサーを提供することができる。これに伴って、遮熱通気スペーサーに用いられる遮熱通気シート、すなわち遮熱透湿防水シートを提供することができる。
【図面の簡単な説明】
【００１５】
【図１】本発明の実施例の遮熱通気スペーサーを説明する図。
【図２】本発明の実施例の遮熱通気スペーサー構成を示す図。
【図３】図２において折り曲げ部を形成した時の断面図。
【図４】本実施例の遮熱通気スペーサーを複数接合する方法および構造を示す図。
【図５】本実施例の遮熱通気スペーサーを用いて構成した屋根裏の遮熱通気構造を示す図。
【図６】図５の一部の断面図。
【発明を実施するための形態】
【００１６】
以下、本発明の実施例を図面に基づいて説明する。
【実施例】
【００１７】
図１は、本発明の実施例に用いる遮熱通気シートを示す。図１において、遮熱通気シートは、拡大して示すように、上板紙３と下板紙４との間に波板紙５を狭持した段ボール紙２と、この段ボール紙２の一方の面、すなわち上板紙３の上面に粘着された長方形に形成された遮熱透湿防水シート６とから構成される。段ボール紙２には市販の段ボール紙が採用される。
【００１８】
遮熱透湿防水シートは、アルミニウムを含有した樹脂材で形成される。より具体的には、アルミニウム箔またはアルミニウムを布材の上面にフィルム上に蒸着したアルミニウム蒸着布からなる反射層が貼合されて形成される。典型的には０．５〜１０ミクロンポリエチレン極細繊維に高熱を加えて結合された不織布にアルミニウムを蒸着させて形成することができる。繊維を撚って糸にしたものを織って形成したものを一般的な布とした場合には、不織布とは、熱・機械的または科学的な作用によって接着または絡み合わせて形成した布ということである。樹脂材としては、コストの面からポリエチレン、ポリエリレンテレフタレートなどが使用可能であるが、これらには、限定されない。
【００１９】
粘着された遮熱透湿防水シート６の形状は屋根裏の傾斜方向となる長辺方向および短辺方向からなる長方形とされ、４辺の端部ならびに中央部はのりつけ部７が設けられる。こののりつけ部７は、全面に形成してもよいが、コスト面および機能面からその必要はない。遮熱透湿防水シート６の形状は、長辺の長さが２００〜３，０００ｍｍ、短辺の長さが１００〜１，０００ｍｍであり、遮熱通気シート１は、後述する垂木間隔に対応して適切な形状のものが採用される。
【００２０】
図１において、遮熱通気シート１（この手段ではまだ前駆遮断通気シートである。）の長辺側端部には狭幅の長さでもって折れ目線８が設定される。この折れ目線８は実際にミシン目のようにしてつけられてもよいし、折り曲げ補助材を用いて曲げる時の設定上の線であってもよい。のり付け部７はこの折れ目線８を充分にカバーし、その内側にも設けられる。
【００２１】
この折れ目線８の外方部が折り曲げ部９とされる。その内側部が内方部１０となる。従って、折り曲げ部９の幅は折れ目線８によって決定され、通常は幅一定の狭幅長方形状をなす。折り曲げ部９は、一枚の板状のシートを上方に向けて折り曲げるだけであるのは、一重折り曲げ部としての特徴構造とされ、再度折り曲げ直すような構造とはされない。再度折り曲げた構造とすることもできるが、コスト面で推奨されない。
【００２２】
これらの折り曲げ部９には、折り曲げ作業の前に、折り曲げ方向に、すなわち短辺方向に向けて狭幅を置いて２つの切り込み１１、１２が入れられる。本例の場合、この２つの切り込み１１、１２は１つの組（セット）として１つの折り曲げ部９に３ヶ所形成してある。両端部にそれぞれ設ける組は必須であるが、中央部あるいはその近辺に設ける組は任意であり、設けなくてもよい。折り曲げ部９の長さが長さに依存して形成すればよい。図面において上端側にある２つの切り込みを１１Ａ、１２Ａ、下端部側にある２つの切り込みを１１Ｂ、１２Ｂ、そして中央部にある２つの切り込みを１１Ｃ、１２Ｃとする。従って、各２つの切り込み１１、１２の間には２つの狭幅部１５（１５Ａ、１５Ｂ、１５Ｃ）が形成される。
【００２３】
このようにして形成された後に、折り曲げ部９を図２に示すように、折れ目線８に沿って上方に折り曲げる。折り曲げられた折り曲げ部９は垂直に立つ折り曲げが１つの一重折り曲げ部となる。図３は、この状態を示す断面図である。
【００２４】
このように上方に折り曲げた時に、あるいは折り曲げた後に狭幅部１５（１５Ａ、１５Ｂ、１５Ｃ）を下方へと折り曲げる。この操作状態を図２に拡大して示す。
【００２５】
この下方への折り曲げに伴って狭幅部１５（１５Ａ、１５Ｂ、１５Ｃ）は、それぞれ上述した上方への順方向折り曲げに対して１８０°逆方向に折り曲げられた狭幅逆折り曲げ部１６（１６Ａ、１６Ｂ、１６Ｃ）として形成されることなる。以後逆方向に折り曲げられた狭幅部１５を狭幅逆折り曲げ部１６と称する。
【００２６】
このような折り曲げ操作によって折り曲げ部９と狭幅逆折り曲げ部１６とは１８０°方向配列した構造となる。
【００２７】
ここで重要なことは、狭幅逆折り曲げ部１６の形成に伴って両端部には、狭幅逆折り曲げ部１６に隣接して端面からの狭幅折り曲げ部１７（１７Ａ、１７Ｂ）が形成されることである。この狭幅折り曲げ部１７は、折り曲げ部９の一部が上方への折り曲げのままとされたものであり、狭幅逆折り曲げ部の形成に伴って隣接して端面から残留された狭幅折り曲げ部１７と称する。
【００２８】
狭幅折り曲げ部１７および狭幅逆折り曲げ部１６は矩形状となり、それらの長辺方向の幅はほぼ同一か、あるいは狭幅折り曲げ部１７の幅が狭幅逆折り曲げ部１６の幅に比して若干小さいものとする。
【００２９】
狭幅逆折り曲げ部１６の形成に伴って、その後に空白部１８（１８Ａ、１８Ｂ、１８Ｃ）が形成される。この空白部１８は、遮熱通気スペーサー１の内側を通気する通気孔となる。以後、この通気孔に符号１８を付する場合がある。
【００３０】
このように、遮熱通気シート１が、屋根裏の傾斜方向であってその長辺方向にある両端部が上方の遮熱透湿防水シート側に折り曲げられて折り曲げ部９が形成され、各折り曲げ部９に、折り曲げ方向に狭幅を置いて２つの切り込み１１、１２が入れられて、長辺方向端面から重ね代部の距離を置いて折り曲げ方向に対して反対方向に折り曲げられた狭幅逆折り曲げ部が両端面部に形成されて折り曲げ部に通気孔が形成され、この狭幅逆折り曲げ部の形成に伴って隣接して端面がこの狭幅折り曲げ部が残留した構造を有することになる。重ね代部は２つの隣接配達された狭幅折り曲げ部１７Ｂと隣接の狭幅折り曲げ部１７Ａの幅によって設定され、狭幅とされる。
【００３１】
図４によって、施工現場で複数の（図では３つの）遮熱通気シート（１Ａ、１Ｂ、１Ｃ）を隣接して配置して接合し、屋根裏の遮蔽通気構造を形成する状態を示す。
【００３２】
上方ある遮熱通気シート１Ａを、その下端部が次段の遮熱通気シート１Ｂの上端部に重なるように配置する。次段の遮熱通気シート１Ｂとその次の遮熱通気シート１Ｃとの配置についても同様である。
【００３３】
このような重ね配置を（棟）頂部から順に張ると称せられる。この重ね配置を行うに際して、図４に拡大して示すように、次段の遮熱通気シート１Ｂの狭幅折り曲げ部１７Ａは、切断、すなわちカットされる。従って、狭幅折り曲げ部１７Ａの側方にある内方部１０の上端部は、重なり部となり、これに重ねられる上方にある遮熱通気シート１Ａの内方部１０の下端部は重なり上部となる。
【００３４】
このように最上段の以外の遮熱通気シートが、一方の遮熱通気シートに対して、狭幅折り曲げ部が切断された狭幅折り曲げ部切断構造を有することになる。
【００３５】
次段の遮熱通気シート１Ｂの狭幅折り曲げ部１７Ａが切断されているので、重なり上部を重なり下部に重ねることができ、重ねによる接合を行うことができる。従ってこの重なり部が重ね代部２１となる。また、この重ね合わせることによって、上方の遮熱通気シート１Ａの狭幅折り曲げ部１７Ｂが次段の遮熱通気シート１Ｂの狭幅逆折り曲げ部１６Ａと折り曲げ下端において相接触してお互いを固定することになる。すなわち、この接触する部分によって接触固定部２２が形成される。
【００３６】
このように、一方の遮熱通気シートが隣接して配置された他方の遮熱通気シートに重ね代部で重ね合わされる構造が形成されるものであって、他方の遮熱通気シートが、狭幅折り曲げ部が切断された狭幅折り曲げ部切断構造とされ、重ね合わされたときに、一方の遮熱通気シートの狭幅折り曲げ部と他方の遮熱通気シートの狭幅逆折り曲げ部とが接触して、この狭幅折り曲げ部長手方向の長さの重ね代部で一方の遮熱通気シートが他方の遮熱通気シートに重ね合わされる構造１００の遮熱通気スペーサーが形成されることになる。
【００３７】
図５は、以上のようにして接合可能な遮熱通気スペーサー１を用いて形成した、一部断面を含む屋根裏の遮熱構造を示し、図６はその断面を示す。
【００３８】
図５に示すように、屋根裏の構造は柱３１、梁３２、小屋東３３、母屋３４、軸桁３５、軒天３６、破風３７および垂木３８を備えて構成され、屋根は、垂木３８上に、通気層４１を置いて設けられた。野地合板４２、その上側のルーフィング４３およびその上側の屋根仕上げ材４４から構成される。
これらの構造は周知であり、これ以上説明を要しない。
これらの構造において、図５および図６に示すように、並設された垂木３８の間であって、通気層４１内に複数の遮熱通気スペーサー１００が頂部から順に張られることになる。
【００３９】
これらの図に示すように、遮熱通気スペーサー１００を構成する遮熱通気シート１の狭幅逆折り曲げ部１６が垂木３８の通気層４１内である内側に接して配置され、固定手段（図示せず）によって固定される。上述したように、狭幅逆折り曲げ部１６の反対方向側には通気孔１８が配されることになる。
【００４０】
以上のように、本実施例によれば、上述した構成の遮熱通気スペーサーとしているので、遮熱防水シートは、簡単な一重の折り曲げ構造とされ、狭幅折り曲げ部および狭幅逆折り曲げ部の採用によって双方の遮熱防止シートがそれらのつき合わせ端部で確実に重ね合わされて、遮熱透湿防水シート同士の接合が簡便かつ確実に行うことができる。また、通気構成を簡単に形成することができるようになって通気性がよく結露のおそれが少なくなり、もし、結露その他の原因によって流水が発生したような場合にあっても重ね代部の結合部において漏水が生じないようにした遮熱通気スペーサーを提供することができる。これに伴って、遮熱通気スペーサーに用いられる遮熱通気シート、すなわち遮熱透湿防水シートを提供することができる。
【符号の説明】
【００４１】
１（１Ａ、１Ｂ、１Ｃ）…遮熱通気シート、２…段ボール、６…遮熱透湿防水シート、８…折れ目線、９…折り曲げ部、１０…内方部、１１（１１Ａ、１１Ｂ、１１Ｃ）、１２（１２Ａ、１２Ｂ、１２Ｃ）…切り込み、１５（１５Ａ、１５Ｂ、１５Ｃ）…狭幅部、部１６（１６Ａ、１６Ｂ、１６Ｃ）…狭幅逆折り曲げ部、１７（１７Ａ、１７Ｂ、１７Ｃ）…狭幅折り曲げ部、２１…重ね部…、２２…接触固定部、１００…遮熱通気スペーサーが重ね合わされた構造。
【図１】
2011069070.tif 000003
【図２】
2011069070.tif 000004
【図３】
2011069070.tif 000005
【図４】
2011069070.tif 000006
【図５】
2011069070.tif 000007
【図６】
2011069070.tif 000008